(57)【要約】【課題】液晶セルと回転リールを同時に表示する場合であっても、回転リールが薄暗くならないようになし、かつ、強度的にも強い液晶表示装置を提供する。【解決手段】液晶セル１２と、バックライト１４と、回転リール１６とを有し、バックライト１４は、導光板２０とランプ２２，２２と反射板２４とを有し、導光板２０の裏面には、回転リール１６の対応する位置に透過凹部２８が設けられ、この透過凹部２８の四周壁に裏面側ほど外方に拡がる傾斜面３０が設けられたものである。【選択図】      図１
2006163154.tif 000002
【特許請求の範囲】
【請求項１】
第１の表示部である液晶セルと、
前記液晶セルの裏面側に配され前記液晶セルを照明するバックライトと、
前記バックライトの裏面側に配された第２の表示部を有し、
前記バックライトは、導光板と前記導光板の側部に配された直管状のランプと反射板とを少なくとも有し、
前記液晶セルの表面側から見て前記液晶セルの表示内容と前記第２の表示部の表示内容とを同時に表示する液晶表示装置において、
前記導光板の裏面には、前記第２の表示部に対応する位置に透過凹部が設けられ、
前記透過凹部の四周壁に裏面側ほど外方に拡がる傾斜面が設けられた
ことを特徴とする液晶表示装置。
【請求項２】
第１の表示部である液晶セルと、
前記液晶セルの裏面側に配され前記液晶セルを照明するバックライトと、
前記バックライトの裏面側に配された第２の表示部を有し、
前記バックライトは、導光板と前記導光板の側部に配された直管状のランプと反射板とを少なくとも有し、
前記液晶セルの表面側から見て前記液晶セルの表示内容と前記第２の表示部の表示内容とを同時に表示する液晶表示装置において、
前記導光板には、前記第２の表示部に対応する位置に透過開口部が貫通し、
前記透過開口部の四周壁に裏面側ほど外方に拡がる傾斜面が設けられた
ことを特徴とする液晶表示装置。
【請求項３】
前記導光板の傾斜面の傾斜角度が２０度から８０度である
ことを特徴とする請求項１または２記載の液晶表示装置。
【請求項４】
前記導光板の傾斜面を、前記第２の表示部を照明するプリズム形状にした
ことを特徴とする請求項１または２記載の液晶表示装置。
【請求項５】
前記透過凹部の深さが、前記導光板の厚みの５０％から９０％である
ことを特徴とする請求項１記載の液晶表示装置。
【請求項６】
前記第２の表示部が、前記導光板の裏面から所定間隔を開けて配されている
ことを特徴とする請求項１または２記載の液晶表示装置。
【請求項７】
前記第２の表示部の少なくとも一部が、前記導光板の前記透過開口部または前記透過凹部に収納されている
ことを特徴とする請求項１または２記載の液晶表示装置。
【請求項８】
前記導光板の裏面であって、前記透過開口部または前記透過凹部以外の部分に前記反射板が配されている
ことを特徴とする請求項１または２記載の液晶表示装置。
【請求項９】
前記第２の表示部が、前記第１の表示部の中央部に配されている
ことを特徴とする請求項１または２記載の液晶表示装置。
【請求項１０】
前記第２の表示部が、スロット遊技機における機械式回転リールである
ことを特徴とする請求項１から９の中で少なくとも一項に記載の液晶表示装置。
【発明の詳細な説明】
【技術分野】
【０００１】
本発明は、スロット遊技機等に使用される液晶表示装置に関するものである。
【背景技術】
【０００２】
最近、スロットマシンの前面に画像表示を行う画像表示装置を配置したスロット遊技機が流行している。
【０００３】
このようなスロット遊技機は、画像表示装置として、表示面の一部に光を透過する透過部分が設けられた液晶表示装置と、この透過部分からスロットゲームが視認できるよう配置された機械式の回転リールが取り付けられ、液晶表示装置の表面から見ると、液晶セルに表示された内容と回転リールで表示された数字が同時に視認できる構造のものが提案されている（例えば、特許文献１参照）。
【特許文献１】特開２００４−５７４１９公報
【発明の開示】
【発明が解決しようとする課題】
【０００４】
しかしながら、上記の液晶表示装置においては、次のような問題点がある。
【０００５】
図７は、従来の液晶表示装置１００の平面図である。液晶表示装置１００は、液晶セル１０２と、液晶セル１０２を照射するバックライトから構成される。バックライトは、液晶セル１０２の表示部分を照射するよう構成され、液晶表示装置１００の透過部分に対応する位置には透過開口部１１６が設けられている。このため、透過開口部１１６の角部から導光板１１０の角部に向かってクラック１１８が発生し易いという問題点がある。
【０００６】
そこで、本発明は上記問題点に鑑み、第１の表示部である液晶セルと第２の表示部である例えば回転リールを同時に表示する場合であっても、強度的にも強い液晶表示装置を提供する。
【課題を解決するための手段】
【０００７】
請求項１に係る発明は、第１の表示部である液晶セルと、前記液晶セルの裏面側に配され前記液晶セルを照明するバックライトと、前記バックライトの裏面側に配された第２の表示部を有し、前記バックライトは、導光板と前記導光板の側部に配された直管状のランプと反射板とを少なくとも有し、前記液晶セルの表面側から見て前記液晶セルの表示内容と前記第２の表示部の表示内容とを同時に表示する液晶表示装置において、前記導光板の裏面には、前記第２の表示部に対応する位置に透過凹部が設けられ、前記透過凹部の四周壁に裏面側ほど外方に拡がる傾斜面が設けられたことを特徴とする液晶表示装置である。
【発明の効果】
【０００８】
機械強度の強い液晶表示装置を得ることができる。
【発明を実施するための最良の形態】
【０００９】
以下、本発明の液晶表示装置１０の各実施形態について、図面に基づいて説明する。
【００１０】
図１及び図２に基づいて第１の実施形態の液晶表示装置１０ついて説明する。
【００１１】
図１は、液晶表示装置１０の縦断面図であり、図２は平面図である。
【００１２】
液晶表示装置１０は、スロット遊技機における画像表示装置として使用されるものであり、液晶セル１２とバックライト１４と機械式の回転リール１６とよりなり、液晶セル１２とバックライト１４とは金属製であって、額縁状のベゼルカバー１８に収納されている。
【００１３】
液晶セル１２は、アクティブマトリックス型の液晶セルであって、アモルファスシリコンより形成された薄膜トランジスタを有しており、１５インチのサイズである。なお、不図示であるが、液晶セル１２には、信号線側駆動回路及び走査線側駆動回路を有した配線基板が接続されている。
【００１４】
液晶セル１２の裏面側に配されたバックライト１４は、導光板２０と、一対の直管状の冷陰極管からなるランプ２２，２２と、金属製の反射板２４と、光学シート２６とより構成されている。
【００１５】
導光板２０は、平面形状が矩形であり、裏面のほぼ中央に平面形状が矩形の透過凹部２８が設けられている。この透過凹部２８が設けられている位置は回転リール１６が配されている位置に相当し、大きさもこの回転リール１６よりも若干大きい程度に構成されている。透過凹部２８の深さは、導光板２０の５０％〜９０％、好ましくは６０％〜８０％の深さであり、透過凹部２８の四周壁は、外方ほど外側に拡がる傾斜面３０となっている。この傾斜角は、図１におけるθ＝２０度〜８０度、好ましくは３０度〜６０度である。
【００１６】
導光板２０の両側部外方に沿ってランプ２２，２２がそれぞれ配され、また、このランプ２２と導光板２０の裏面を金属製の反射板２４が覆っている。但し、反射板２４は、透過凹部２８の位置には設けられておらず、それ以外の部分の導光板２０を覆っている。
【００１７】
導光板２０の表面には、光学シート２６が積層されている。この光学シート２６は、拡散板３２、プリズムシート３４とを積層したものである。
【００１８】
回転リール１６は、バックライト１４の裏面側であって、透過凹部２８の位置に設けられ、バックライト１４から若干の間隔を開けて配されている。
【００１９】
上記構成の液晶表示装置１０において、画像を表示する場合には、信号線側駆動回路から画像信号を液晶セル１２に与えると共に、ランプ２２，２２を点灯させ、導光板２０を介して液晶セル１２を照明した画像を表示する。
【００２０】
この場合にランプ２２，２２からの光は導光板２０を通過する際に、反射板２４において表面側へ反射され、拡散板３２、プリズムシート３４を介して均一に液晶セル１２の裏面側から入射し、液晶セル１２を照明する。また、透過凹部２８の位置においても、他の部分よりも薄い状態ではあるが導光板２０が存在するため、ランプ２２の光がこの導光板２０の部分に入射し、透過凹部２８の位置においても液晶セル１２を明るく照明する。
【００２１】
さらに、導光板２０は、従来のように貫通孔が設けられておらず単に透過凹部２８が設けられているため、従来のようにクラックが発生したりすることがなく、強度的にも向上している。
【００２２】
また、回転リールの幅と透過凹部２８の傾斜面３０の表示面側の幅を一致させ、かつ外側に開いた傾斜面３０を設けることにより、表示面側からの傾斜面の視認を抑制し、透過部の見た目を改善することができる。
【００２３】
また透過凹部の傾斜面を形成することにより、導光板の面方向への光漏れを抑制し、かつ積極的に表示面側に光出射することが可能となり、表示ムラを低減することができる。
【００２４】
第２の実施形態の液晶表示装置１０について、図３に基づいて説明する。
【００２５】
第２の実施形態と第１の実施形態の異なる点は、回転リール１６の配置位置にある。第１の実施形態では回転リール１６を、バックライト１４の裏面側より若干の間隔を開けて配したが、本実施形態では図３に示すように、回転リール１６の一部を収納凹部２８に収納した状態で配する。
【００２６】
透過凹部２８に回転リール１６の一部を収納することにより、液晶セル１２と回転リール１６との間隔が接近するため、より鮮明に回転リール１６の内容を表示することができ、また、導光板２０からの光が回転リール１６に当たり易くなり、より明るく照明することができる。
【００２７】
第３の実施形態の液晶表示装置１０について、図４に基づいて説明する。
【００２８】
第３の実施形態と第１の実施形態の異なる点は、透過凹部２８の傾斜面３０の構造にある。本実施形態では図４に示すように傾斜面３０に凹凸を設けてプリズムを形成し、このプリズムから出た光が回転リール１６を照明するようにする。
【００２９】
このように傾斜面３０にプリズムを形成することにより、光の向きをコントロールでき、ランプ２２，２２からの光をより効率良く利用することができる。
【００３０】
なお、本実施形態においても、第２の実施形態と同様に回転リール１６の一部を収納凹部２８に収納してもよい。
【００３１】
第４の実施形態の液晶表示装置１０について、図５に基づいて説明する。
【００３２】
本実施形態と第１の実施形態の異なる点は、第１の実施形態では導光板２０に透過凹部２８を設けたが、本実施形態では図５に示すように、導光板２０の中央部に透過開口部３６を貫通させる。但し、従来の透過開口部１１６とは異なり、透過開口部３６の四周壁に傾斜面３８を設ける。
【００３３】
透過開口部３６の傾斜面３８から光が回転リール１６を照明して、従来のように回転リール１６の部分が薄暗くなることがない。
【００３４】
また、この傾斜面３８によって、導光板２０に透過開口部３６が貫通していても、強度的に向上し、従来のようにクラックが発生しない。
【００３５】
なお、本実施形態においても、第２の実施形態と同様に回転リール１６の一部を透過開口部３６に収納してもよい。
【００３６】
第５の実施形態の液晶表示装置１０について、図６に基づいて説明する。
【００３７】
本実施形態と第４の実施形態の異なる点は、本実施形態の透過開口部３６の傾斜面３８にプリズムを設けた点にある。
【００３８】
このように傾斜面３８にプリズムを設け、ランプ２２，２２からの光をより確実に回転リール１６に照射することにより、回転リール１６をより明るく表示できる。
【００３９】
なお、本実施形態においても、第２の実施形態と同様に回転リール１６の一部を透過開口部３６に収納してもよい。
【００４０】
本発明は、その主旨を逸脱しない限り変更することができる。
【００４１】
例えば、上記各実施形態では第２の表示部として回転リール１６を用いたが、これに変えて他の表示素子を用いてもよい。
【００４２】
また、回転リール１６を照明するための特別な照明装置をランプ２２，２２以外に設けてもよい。
【産業上の利用可能性】
【００４３】
本発明の液晶表示装置は、スロット遊技機における画像表示装置等に好適である。
【図面の簡単な説明】
【００４４】
【図１】本発明の第１の実施形態を示す液晶表示装置の縦断面図である。
【図２】同じく液晶表示装置の平面図である。
【図３】第２の実施形態の液晶表示装置の縦断面図である。
【図４】第３の実施形態の液晶表示装置の縦断面図である。
【図５】第４の実施形態の液晶表示装置の縦断面図である。
【図６】第５の実施形態の液晶表示装置の縦断面図である。
【図７】従来の液晶表示装置の平面図である。
【符号の説明】
【００４５】
１０  液晶表示装置
１２  液晶セル
１４  バックライト
１６  回転リール
１８  ベゼルカバー
２０  導光板
２２  ランプ
２４  反射板
２６  光学シート
２８  透過凹部
３０  傾斜面
【図１】
2006163154.tif 000003
【図２】
2006163154.tif 000004
【図３】
2006163154.tif 000005
【図４】
2006163154.tif 000006
【図５】
2006163154.tif 000007
【図６】
2006163154.tif 000008
【図７】
2006163154.tif 000009